Podtech/llm-jp-corpus-v4-ja_patent huggingface dataset:
(57)【要約】
【課題】本考案は買物時にレジ袋及び紙袋など、複数の袋を持ち歩く際に、手が自由に使え、袋の手提げ部分が腕に食込むことを防ぎ、手荷物を運びやすくする。
【解決手段】本考案はレジ袋及び紙袋の手提げ部分に、腕当て部２を通し、左右の腕当て部を重ねることにより、アクリルテープ１の中心に複数のレジ袋や紙袋の手提げ部分を収め、手荷物の安定をはかる。腕当て部２が腕の内側にあたるようにアクリルテープ１に腕を通すことにより、荷物による腕への食込みを防ぎ、且つ、手が自由に使える。
【選択図】　図１
0003099735.tif 000002
【実用新案登録請求の範囲】
【請求項１】
　テープを輪にして、レジ袋や紙袋の手提げ部分に通すことを特徴とする、手荷物手提げ部腕かけ用補助具
【請求項２】
　テープの輪の両端に、２カ所腕当てを設け、２カ所の腕当て布を重ねることにより、荷物がテープの中心に収まることを特徴とする、手荷物手提げ部腕かけ用補助具
【考案の詳細な説明】
【技術分野】
【０００１】　本考案は、複数の手荷物を持ち運ぶ際に、腕にかけるとき用いる手提げ部分の補助具に関するものである。
【背景技術】
【０００２】　従来の荷物吊り下げ把手は、木製、プラッスチックを素材とし、手に持つことを目的としていた。
【考案の開示】
【考案が解決しようとする課題】
【０００３】　スーパーなどで買物をすると支給されるレジ袋など、複数の袋を手に持つと袋の手提げ部分が指に食込み、指がしびれたりした。背景技術で述べたものは、把手に使用されることが目的であるが、手に荷物を持つと、足元に荷物が絡んだり、手が塞がる為財布の出し入れ、傘など不自由がおこる。その欠点を解決しようするものである。
【課題を解決するための手段】
【０００４】　本考案は、レジ袋及び紙袋の手提げ部分に、腕当て部を通し、２カ所の腕当て布を重ねることにより、テープの中心に複数のレジ袋や紙袋の手提げ部分を収め、手荷物の安定を図る。本考案の補助具に腕を通し、腕当て布が腕の内側になることにより荷物による腕への食込みを防ぎ、且つ、手が自由に使えることにより問題点を解決している。
【考案の効果】
【０００５】　上述の様に、本考案の手荷物手提げ部腕かけ用補助具は、複数の買物袋を収めることは勿論、２カ所の腕当て部を重ねることで、荷物はテープの中心に集まる為、買物途中で買物袋を追加する場合も、一方の腕当て部を腕から外すだけで、容易に手荷物手提げ部腕かけ用補助具に荷物を収めることができる。且つ、トイレットペーパーや紙おむつのように、包装のビニール袋と手提げが一体である商品などは、手提げ部分が小さく、商品は大きい為、手に持つと指が痛んだり商品が足元に絡む為、本考案の手荷物手提げ部腕かけ用補助具を手提げ部分に通し、腕にかけることで安定がとれる。布製であるため持歩くのにコンパクトであり、使用の際には色柄を選べ外観的にも優れている。
【考案を実施するための最良の形態】
【０００６】　２カ所の各腕当て部の中心を左右の手で持ち、左右に軽く引き、輪の状態のテープを二重に重ねる。一方の腕当て部をレジ袋の手提げ部分に通していく。複数の袋の手提げ部分にテープが通った時点で、もう一方の腕当てと、はじめに通した腕当て部を重ねるように上へ持ち上げると、荷物がテープの中心に収まる。腕当て部を、腕の内側にかかるようにテープに腕を通す。
【実施例１】
【０００７】　以下、添付図面に従って一実施例を説明する。図１、１はアクリル素材のテープで、テープ本体を輪の状態に縫い、２は、両端に各１カ所腕が当たる部分に肌ざわりの良い布製を使用する。図３、１のアクリルテープの外側に３のキルト芯を巻くことにより腕への負担が少なくなる。
【図面の簡単な説明】
【０００８】
【図１】本考案の手荷物手提げ部腕かけ用補助具の一実施例を示した斜視図である。
【図２】テープ、腕当て部を二重に重ねた状態を示した平面図である。
【図３】腕当て部分の断面図である。
【図４】レジ袋の手提げ部分に、本考案の手荷物手提げ部腕かけ用補助具を通した状態を示した斜視図である。
【図５】本考案の手荷物手提げ部腕かけ用補助具に、手荷物を通し、腕にかけた状態を示した斜視図である。
【符号の説明】
【０００９】　１　手荷物の手提げ部分に通すアクリル素材のテープ
　２　腕当て部
　３　キルト芯
　４　アクリル素材のテープを輪にする為の縫い目
　５　腕当て部と、アクリル素材のテープ、キルト芯を固定する為の縫い目
　６　レジ袋
【図１】
0003099735.tif 000003
【図２】
0003099735.tif 000004
【図３】
0003099735.tif 000005
【図４】
0003099735.tif 000006
【図５】
0003099735.tif 000007
(57)【要約】
【課題】レインコートのフードは一般に頭よりかなり大きく、風をうけて頭部から脱げることによって雨滴を顔面に受けることや開口部が大きいことに起因して雨を顔面に受け易いことなどにより目を閉じようとすることが多く、前方の視界が阻害され交通事故を誘発することもある。降雨時の視界を確保し、かつ雨が顔面にかかり難くし、安心して子供に着用させられるレインコートが要求されている。
【解決手段】かかる課題を解決するための具体的手段として、レインコートのフードの開口縁部の内側に設けた紐を引き絞ることにより、開口部にギャザーができ、これが張りのあるフレアー状の雨ガードとなる構造とした。これにより雨滴が顔面に降りかかるのを防ぐ。
【選択図】図１
0003099737.tif 000002
【実用新案登録請求の範囲】
【請求項１】
　フードの開口縁部の内側に設けた紐を引き絞ることにより、開口縁部に張りのあるフレアー状雨ガードが形成されることを特徴としたレインコートのフード。
【考案の詳細な説明】
【技術分野】
【０００１】
　本考案は、顔面に降りかかる雨を避けるためのレインコートのフードに関するものである。
【背景技術】
【０００２】
　これまでのレインコートのフードは図４に示すような顔面を露出させるための開口部を有する袋状のものが主流である。この場合頭部の通気性は良好であるが、顔面が雨に濡れ易くまた首の方へと雨水が浸入するという欠点があった。
【０００３】
　これを改良するために、図３に示す開口縁部に設けた紐を引き絞ることにより開口縁部を顔面に密着させ雨の浸入を防ぐ方法、開口縁部に設けた紐を引き絞ることにより開口縁部を顔面に密着させると同時に放射状のフランジを形成させ顔面に降りかかる雨を軽減させる方法（特許文献１参照）などが提案されている。
【特許文献１】特開平９−１３２０７号公報
【考案の開示】
【考案が解決しようとする課題】
【０００４】
　レインコートのフードは図４に示す様に一般に頭よりかなり大きく、風をうけて頭部から脱げることによって雨滴を顔面に受けることや開口部が大きいことに起因して雨を顔面に受け易いことなどにより目を閉じようとすることが多く、前方の視界が阻害され交通事故を誘発することもある。降雨時の視界を確保し、かつ雨が顔面にかかり難くし、安心して子供に着用させられるレインコートが要求されている。
【課題を解決するための手段】
【０００５】
　本考案では、かかる課題を解決するための具体的手段として、レインコートのフード本体１の開口縁部５の内側に設けた紐通し穴部４の引き絞り紐３を引き絞ることにより、開口部にギャザーができ、これが張りのあるフレアー状の雨ガード２となる構造とした。これにより雨滴が顔面に降りかかるのを防ぐ。
【考案の効果】
【０００６】
　本考案のフードが付設されたレインコートは身体の大きさによらず顔面によくフィットし、目がかくれたり、風をうけて頭部から脱げたりすることなく、しかも雨滴を顔面に受けることが大きく軽減される。すなわち、安全性を高めたレインコートが得られた。従って、子供に安心して着用させることが出来る等の効果がある。
【考案を実施するための最良の形態】
【０００７】
　降雨時の視界を確保し、かつ雨が顔面にかかり難くくし、安心して子供に着用させられるレインコートが強く求められている。雨をガードする様々なフードを検討した結果、図１に示すようなレインコートのフード本体１の開口縁部５の内側に設けた紐通し穴部４の引き絞り紐３を引き絞ることにより、開口縁部５にギャザーが生起し、これが張りのあるフレアー状の雨ガード２となる構造が最も効果的であることが判った。
【０００８】
　ここで重要なのは雨ガード２を張りのあるフレアー状にすることである。フレアー状にすることで雨ガード２の全表面積が大きくなると共に対方向性機能が向上する。そして多方向から降りかかる雨に対してガードすることが出来ることになる。
【実施例１】
【０００９】
　図１に本考案の雨ガード付きフードを着用した状態を示している。雨ガード２の開口縁部からの突出量は、一般に上端部で５ｃｍ程度がよい。しかし、着用者の体格にあわせて適宜増減するのがよい。図１の本考案品の畳んだ状態を図２に示す。
【図面の簡単な説明】
【００１０】
【図１】本考案の雨ガード付きフードを着用した状態を示す図である。
【図２】本考案の雨ガード付きフードを畳んだ状態を示す図である。
【図３】引締め紐付きの従来のフードを着用した状態を示す図である。
【図４】引締め紐のない従来のフードを着用した状態を示す図である。
【符号の説明】
【００１１】
　１　　フード本体
　２　　雨ガード
　３　　引き絞り紐
　４　　紐通し穴部
　５　　開口縁部
【図１】
0003099737.tif 000003
【図２】
0003099737.tif 000004
【図３】
0003099737.tif 000005
【図４】
0003099737.tif 000006
(57)【要約】
【課題】　外出先で哺乳瓶を洗浄する。
【解決手段】　ブラシの把持柄（２）が伸縮することによりコンパクトに収納が可能、また洗剤を入れる容器と乳首用ブラシをセットにした。
【選択図】　図１
0003099731.tif 000002
【実用新案登録請求の範囲】
【請求項１】
　伸縮する把持柄（２）を利用した携帯用ブラシセット
【考案の詳細な説明】
【考案の詳細な説明】
【考案が解決しようとする課題】
【０００１】　従来、長時間の外出時又は宿泊時に哺乳瓶を数本用意しなくてはならず、荷物が増えてしまうのと、哺乳瓶を洗浄できないので衛生的ではないという問題点があった。
【課題を解決するための手段】
【０００２】　上記目的を達成するために、ブラシの把持柄（２）が伸縮することにより、コンパクトに収納ができるようにした。
【考案を実施するための最良の形態】
【０００３】　本考案は、外出先での哺乳瓶洗浄を可能にし、かつ携帯に便利なようにコンパクトにしたものである。
【考案の効果】
【０００４】　ブラシセットを携帯することにより、外出時に数本の哺乳瓶を携帯しなくてもよくなるので荷物が軽減され、かつ洗浄が可能となるため衛生的である。
【図面の簡単な説明】
【図１】ブラシの正面図である。
【図２】ブラシ把持柄の断面図である。
【図３】乳首用ブラシの正面図である。
【図４】洗剤入れの正面図である。
【図５】収納ポーチの斜視図である。
【符号の説明】
１　ブラシ
２　ブラシの把持柄
３　乳首用ブラシ
４　洗剤入れ
５　収納ポーチ
６　ファスナー
【図１】
0003099731.tif 000003
【図２】
0003099731.tif 000004
【図３】
0003099731.tif 000005
【図４】
0003099731.tif 000006
【図５】
0003099731.tif 000007
(57)【要約】
【課題】　本考案は密集多条巻チャンネルロールブラシを使用してブラシの精度を上げワークの加工精度をあげる。
【解決手段】　本考案は１本のシャフトに数本のチャンネルブラシを密集巻にし、毛材とシャフトの損傷をなくし従来のチャンネルロールブラシよりスパイラル形状にして近年求められている精密加工に役立つ。
【選択図】　図１
0003099718.tif 000002
【実用新案登録請求の範囲】
【請求項１】
　　１本のシャフトに数本のチャンネルブラシを密集巻に巻きつけたところを特徴とするチャンネルロールブラシ。
【考案の詳細な説明】
【技術分野】
【０００１】　本考案は、１本のシャフトに数本のチャンネルブラシを密集巻に巻きつけたものである。
【背景技術】
【０００２】　従来、チャンネルロールブラシは密集巻の場合１本のチャンネルブラシを巻きつけるしか出来なかった。ピッチ巻の場合は数本のチャンネルブラシを巻きつけることは可能だが、１本のチャンネルブラシをシャフトに止めるのは熔接箇所が増えてしまう。
【考案の開示】
【考案が解決しようとする課題】
【０００３】　多条ピッチ巻チャンネルロールブラシでは熔接箇所が多いため毛材とシャフトを痛めてしまい毛量が少ない。密集多条巻チャンネルロールブラシにすることで前述の欠点を解決しようとするものである。
【課題を解決するための手段】
【０００４】　本考案は、１本のシャフトにチャンネルブラシを密集状に数本巻きつけることで熔接をなくし毛量を増やすことで解決している。
【考案の効果】
【０００５】　上述の様に、本考案の密集多条巻チャンネルブラシを使用すると熔接を必要とせずシャフトも毛材も痛まず毛量も増やすことが出来る。又ワークと呼ばれる相手の加工物に毛材が滑らかに当たり今までにない仕上がりが期待できる。
【産業上の利用可能性】
【０００６】　本考案を使用すると従来のチャンネルロールブラシよりスパイラル形状になる。よってワークに滑らかに当たりクーラント液などの流体もスムーズに入り込むようになる。このことからブラシの使用条件も自ずからソフトになりより精密な加工に利用できる可能性がある。
【図面の簡単な説明】
【０００７】
【図１】本考案の密集多条巻チャンネルロールブラシの一実施例を示す全体図である。この図面は２条巻を例として示す。
【図２】本考案との比較として通常のチャンネルロールブラシを示す全体図である。
【符号の説明】
【０００８】　１　　チャンネル
　２　　芯線
　３　　毛材
　４　　チャンネルブラシ
　５　　シャフト
　６　　チャンネルロールブラシ
　７　　１条目チャンネルブラシ
　８　　２条目チャンネルブラシ
【図１】
0003099718.tif 000003
【図２】
0003099718.tif 000004
(57)【要約】【課題】自転車やオートバイの操舵感覚と旋回性を悪化させることなく、車体のデザインや大きさを自由に設定できるようにする。【解決手段】前操舵輪の懸架装置に直結するステアリングステムシャフト２を前操舵輪側のステアリングヘッドパイプ１から突出させ、ハンドル側の操舵力入力用ステアリングヘッドパイプ３内を通る操舵力入力用ステアリングステムシャフト４の間をユニバーサルジョイント５を介して繋ぐ。【選択図】　図１
0003099720.tif 000002
【実用新案登録請求の範囲】
【請求項１】
前操舵輪側のステアリングヘッドパイプ１上端から突出させた、前操舵輪懸架装置に直結したステアリングステムシャフト２と角度の違う２つ目の操舵力入力用ステアリングヘッドパイプ３内を通る操舵力入力用ステアリングステムシャフト４の間をユニバーサルジョイント５で繋いだ装置
【考案の詳細な説明】
【０００１】
【従来の技術】
従来、前輪かつ操舵輪が１輪の、フロントフォークを持つ自転車及び、オートバイの場合、前車輪軸に平行するやや後方の、若しくはやや前方の線と、中心で直交する一本の直線上にあった。
又、オートバイの場合、前操舵輪の懸架装置が、操舵軸と直結せず、緩衝装置も別体とした、センターハブステアリングの、操舵装置は、操舵輪の回転軸支持部を、リンクや棒等を介して操舵するため操舵輪からハンドルへ伝えられる、操舵手への感覚が鈍くなり操舵感覚が乏しくなってしまっていた。
【０００２】
【考案が解決しようとする課題】
前項目で記した、フロントフォークを持った自転車及び、オートバイは、操舵軸の地上高を変えずに、そこから前車輪軸が、遠ざかる程、キャスター角が大きくなってしまい、相乗的に旋回性が悪くなり、又、着座位置と乗車姿勢及び、操舵軸の対地角度を変えずに前操舵輪を遠くした場合、ハンドルを操舵軸から手前に長く延ばす必要があるため、操舵感覚が著しく悪くなるという問題を有していた。
そのため、車体の大きさを含めデザインは、車体の性格の、方向性によって似たものになっていた。
【０００３】
【課題を解決するための手段】
上記目的を達成するため、操舵軸の対地角度はそのままに、前操舵輪軸を着座位置から遠ざけて、その操舵軸と、着座位置から違和感なく操作できる位置に置いたハンドルに繋がる操舵軸とを、ユニバーサルジョイントを介して連結する。
【０００４】
【考案の効果】
通常の着座位置と乗車姿勢から、違和感なく操舵輪の操作ができ、軸間距離の長さと、優れた旋回性の両立が可能としたうえで、軸間距離の延長と、それに伴う大きな車体をデザインする事ができ、従来にはなかった大型の車体を造ることができる。
【図面の簡単な説明】
【図１】操舵輪の懸架装置から出た操舵軸と、ハンドル側の操舵軸とをユニバーサルジョイントを介して繋いだ斜視図である。
【図２】操舵輪の懸架装置から出た操舵軸と、ハンドル側の操舵軸とをユニバーサルジョイントを介して繋いだものの横から見た立面図である。
【符号の説明】
１　前操舵輪側のステアリングヘッドパイプ
２　前操舵輪懸架装置に直結したステアリングステムシャフト
３　操舵力入力用ステアリングヘッドパイプ
４　操舵力入力用ステアリングステムシャフト
５　ユニバーサルジョイント
【図１】
0003099720.tif 000003
【図２】
0003099720.tif 000004
(57)【要約】
【課題】　飼猫が建物内装や備品等を爪で傷つけるのを防いだり、体マッサージやストレス解消の場を与えることができるような、嵩張らずに広範に取り付けられる飼猫の爪研ぎ用具を提供する。
【解決手段】　表面が猫が爪を研ぐに足る非平滑状であり、裏面に粘着材とその保護シートを設けた、薄手シート状物とする。とりわけ表面に多数の硬質小突起が形成されたものを用いる。
【選択図】　図１
0003099719.tif 000002
【実用新案登録請求の範囲】
【請求項１】
　表面が猫が爪を研ぐに足る非平滑状であり、裏面に粘着材とその保護シートを設けた、薄手シート状物であることを特徴とする飼猫の爪研ぎ用シート
【請求項２】
　表面が多数の硬質小突起が形成された非平滑状である、請求項１記載の飼猫の爪研ぎ用シート。
【考案の詳細な説明】
【考案の詳細な説明】
【技術分野】
【０００１】　この考案は、飼猫が家具や内装材等に替わって爪を研いだり、ストレス解消や体マッサージ等の場を提供するための爪研ぎ用シートに関する。
【背景技術】
【０００２】　一般に猫は爪が伸びすぎるのを防ぎ良好な状態を維持するために、適当な対象物を見つけては爪を研ぐ習性がある。特に飼猫の場合は、建物内部の柱や壁、或いは家具調度品など所かまわず爪を研いでこれを傷つける憂いがあるから、傷つけても差し支えないような部材を近辺に置いてこれで爪を研がせることにより、他への損傷を防ぐ手段が工夫されている。【０００３】　例えば、ダンボールの切断面を表面とするようなマット或いはカペット等の部材を薄箱体中に収めて、これを床に置いたり壁等にぶら下げたりする商品も、既に市販されている。この際、猫が寄りつき易いようにマタタビ成分等を塗っておく場合が多い。
【考案が解決しようとする課題】
【０００４】　上記のような在来の飼猫用爪研ぎ用具はそれなりに成果をあげているものの、比較的嵩張るために置場や取り付け箇所に制約があり、また邪魔になったりコストも高いため、多数を置くわけにもいかず、いきおいマタタビ等で猫を誘い込む必要があり、また猫がこれを破損しがちであるなどの問題点があった。
【０００５】　本考案はかかる問題点を解消して、全く邪魔になることなく適宜の箇所を多数選んで容易に設置でき、また破損されにくく猫が体マッサージ等にも使えるような飼猫用爪研ぎ用具を提供することを課題とする。
【課題を解決するための手段】
【０００６】　表面が猫が爪を研ぐに足る非平滑状であり、裏面に粘着材２とその保護シート３を設けた、薄手シート状物Ａとする。非平滑状であるためには、ダンボール断面状であったりカーペット状であってもよいが、とりわけ好ましいのは、図面に示したように多数の硬質小突起１を表面に形成したものである。
【０００７】　ここにおける硬質小突起１は、猫が爪を引っ掛けるに足る硬度や強度をもつ小さな突起であって、例えば直径２〜３ｍｍ、高さ１〜２ｍｍ程度の単純隆起物であればよく、これを例えば約１ｃｍの間隔ピッチで無数に形成する。
【０００８】　その形成方法は、例えば丈夫な厚紙を支持材とし、これに丈夫な熱可塑性樹脂シートを重ねつつ多数の小陥没を設けた金型に熱とともに押し当てれば、該小陥没部が小突起となった薄手の積層シート状物が得られる。
【０００９】　ここでいう「薄手」とは、あたかもワッペンのような粘着材程度の付着力で支障なく貼着設置できる程度のものであって、具体的には非突起部の厚さがおよそ０．１〜３ｍｍ程度のものが該当する。
【００１０】　各突起間における当該シートの表面状態は平坦状で良いが、例えばポリエステルのように堅牢で若干の布ないし編目状微細エンボスのあるような摩擦性のものが好ましい。必要に応じ、鉱物粉末等を表面樹脂中に混入してもよい。
【００１１】　なお使用される粘着材は、十分な付着力があれば、ある種のシリコーン或いはスチレン系軟質エラストマーのような乾質感圧粘着性の材料等も該当するものとする。
【作用】
【００１２】　本考案はこのような構成であるから、これを用いるには、先ず裏面の保護シート３を剥がして粘着材２を露出させ、これを壁や柱など猫にとって身近な箇所に貼着する。この際、貼着箇所に応じて適当な寸法に切断したり、マタタビ等を塗ることは任意である。
【００１３】　猫はこれが爪を研ぐに相応しいと見るや、これを掻いて爪を研ごうとするが、この際、小突起１が引っ掛かりとなってすこぶる具合が良いから、もはや他のものを引っ掻き傷つけようとはしなくなる。また猫にとって、このように貼着した薄手のシート状物を破損したり動かしたりすることは事実上不可能であり、また必要に応じ広面積にもできるから、猫の体マッサージ用にもなる。
【考案を実施するための最良の形態】
【００１４】　厚さ約０．３ｍｍの強化厚紙に約０．５ｍｍ厚の熱可塑性ポリエステルシートを積層し、直径約２．５ｍｍ、深さ約１．５ｍｍの碗状陥没を約１０ｍｍのビッチ間隔で形成し編目状エンボスを全面に施したウェルダー金型を押し当てて、得られた小突起付き薄手シートの裏面にワッペン状の粘着層を形成し、その上に保護シートを被せて本考案の飼猫の爪研ぎ用シートとする。なお本考案は本例に限定されるものでないことは言うまでもない。
【考案の効果】
【００１５】　このように本考案によれば、水平面、垂直面を問わず、嵩張ることなく貼着して使用することができ、低コストで寸法や形状も自在に切断加工できるから、猫の爪研ぎに適した箇所にいくらでも設置でき、また床に大面積のものを敷けば、猫のマッサージ用にも使用できるなど、爪を研ぎストレス解消の場を多く与えることによって他への損傷を著しく減らす効果がある。
【図面の簡単な説明】
【図１】本考案一例の拡大断面図
【図２】本考案一例の平面図
【符号の説明】
１……硬質小突起
２……粘着材
３……保護シート
Ａ……薄手シート状物
【図１】
0003099719.tif 000003
【図２】
0003099719.tif 000004
(57)【要約】
【課題】　本考案はＮＯ，１チャンネルブラシを使用して近年産業界で求められている小型化に対応をする。
【解決手段】　本考案はチャンネル１に芯線２で３の毛材を押さえながら植毛する。幅１ミリ台という極めて小さなチャンネルブラシを使用することで産業界で求められている小型化に役立つ。
【選択図】　図１
0003099717.tif 000002
【実用新案登録請求の範囲】
【請求項１】
　幅１ミリ台のチャンネルに毛材を植えこんだ極めて小さいＮＯ，１チャンネルブラシ。
【考案の詳細な説明】
【技術分野】
【０００１】　本考案は、チャンネルの幅が１ミリ台のチャンネルブラシに関するものである。
【背景技術】
【０００２】　従来、チャンネルブラシはその幅によって２ミリ台のチャンネルに毛材を植えたＮＯ，２チャンネルブラシから１３ミリ台のチャンネルに毛材を植えたＮＯ，１３チャンネルブラシがあるが、より小さくすることができなかった。
【考案の開示】
【考案が解決しようとする課題】
【０００３】　ＮＯ，２チャンネルブラシでは大き過ぎ対応が困難な場合に、より小さなＮＯ，１チャンネルブラシを使用して解決するものである。
【課題を解決するための手段】
【０００４】　本考案は、幅１ミリ台のチャンネルを成型し、毛材を植えつけたＮＯ，１チャンネルブラシを使用することで解決している。
【考案の効果】
【０００５】　上述の様に、本考案のＮＯ，１チャンネルブラシを使用すると直線状のブラシは勿論の事、従来最小Φ６のシャフトまでしか巻きつけることが出来なかったロール形状のブラシもΦ３のシャフトに巻きつける事が可能であり、近年の産業界に求められている小型化に役立つ。
【考案を実施するための最良の形態】
【０００６】　ＮＯ，１チャンネルブラシは、非常に小さいチャンネルを使用しているのでそれ自体が他のチャンネルブラシに比べ柔らかく反発力も弱い事が挙げられる。この性質を利用するならばロール形状のブラシが最も適した形態でピッチ巻も密集巻も自在に製作することができる。
【実施例】
【０００７】　以下、添付図面に従って一実施例を説明する。１は金属製のチャンネルでこれを成型してから２の芯線で３の毛材を押さえながら植毛する。この場合２の芯線は金属線でも非鉄金属線でも使用箇所によって選択し、３の毛材も化学繊維や植物繊維、獣毛などを選択するとよい。
【図面の簡単な説明】
【０００８】
【図１】本考案のＮＯ，１チャンネルブラシの一実施例を示す、その構造説明を兼ねた拡大図である。
【図２】ＮＯ，１チャンネルブラシをシャフトにロール状に巻きつけた全体図である。
【符号の説明】
【０００９】　１　　チャンネル
　２　　芯線
　３　　毛材
　４　　チャンネルブラシ
　５　　シャフト
　６　　チャンネルロールブラシ
　７　　チャンネルの幅
【図１】
0003099717.tif 000003
【図２】
0003099717.tif 000004
(57)【要約】　　　（修正有）【課題】光るバッジとすることにより新しい魅力を備えたアクセサリーを提供する。【解決手段】ＩＣ７とスイッチとボタン電池６を取り付けたプリント基板１をバッジの構造体となし、表側のデザイン表示面２に点滅する複数のＬＥＤを散在させ、裏面にボタン電池ホルダー３と一体化したピン４とピンキャップ５を設ける。【選択図】　図１
0003099779.tif 000002
【実用新案登録請求の範囲】
【請求項１】
　プリント基板の裏側に衣類を貫通するピンと、
　衣類を貫通したピンを着脱自在に固定するピンキャップと、
　前述ピンの基部を支持し、かつ、ボタン電池のホルダーでもある金具を有し、
　前述プリント基板の表側はデザイン表示面であって、その数箇所にＬＥＤを配置し、
　前述プリント基板は前述ボタン電池のホルダー内部に収納されたボタン電池より電力を受け取ってスイッチがオン状態の場合はＩＣにより前述ＬＥＤを所定のシーケンスで点滅させるようにしてなるピンバッジの構造。
【考案の詳細な説明】
【技術分野】
【０００１】　この考案は衣類に固着させて装身具として用いるバッジに関し、特に利用者が目立つことを目的として着用する場合が多いアクセサリーに属するバッジに関する。
【背景技術】
【０００２】　バッジは古くから存在する装身具であり、特定の組織、機関、グループ等に所属することを見る人に示すために用いられることが多い。
　また、美しくデザインされたバッジは装身具として身を飾るために用いられることも多い。
　これらは基本的には太陽光線或いは照明等の外部光源から入射した光線を反射することにより存在を示すものである。
【考案の開示】
【考案が解決しようとする課題】
【０００３】　若者たちの嗜好は一般に極めて斬新な文化を好むものであり、古くからあるバッジをアクセサリーに利用することは、例えそのデザインが斬新なものであっても、それだけでは容易に着用したいとの意欲を喚起することが難しい。
【課題を解決するための手段】
【０００４】　本考案は若者たちの目を惹くために、表示面にＬＥＤの発光面を露出し、一定の操作によりそのＬＥＤを点滅発光させるバッジを提供しようとする。
　このバッジの着用方法としては最も少ないモーションで着用できるピンバッジ方式を採用する。
　そのようなバッジは始めて提供されるものであり、この種のバッジを可能とする電池の取り付け構造等も併せて提供する。
【考案の効果】
【０００５】　この種のバッジは通常のバッジが認知できなくなるような薄暗い環境で用いられた場合はＬＥＤの点滅発光が周囲と甚だしいコントラストとなるため、見る者の目に鮮烈な印象を与え、他人の目を惹きたいという着用者の意図を満足させることができる。
　また、明るい環境においても、ＬＥＤの輝度は相当高いため、充分人目を惹く効果を挙げることができる。
【考案を実施するための最良の形態】
【０００６】　この種のバッジを製作するための構造としてバッジ本体の裏側をプリント基板とし、そこにＩＣと電池ホルダーを取り付ける。表側はバッジのデザイン表示面とし、適宜ＬＥＤの発光面をあしらう。着衣にバッジを取り付けるピンは機械的強度が必要な部位なので、プリント基板に対して強固に取り付けられている電池ホルダーと一体化した構成とする。
【実施例】
【０００７】　以下、図面を用いてこの考案になるバッジの実施例を説明する。図１はこの考案になるバッジの側面図であり、ピンからピンキャップを取り外した状態を示す。図２は表側から見た正面図、図３は裏側から見た正面図である。【０００８】　図１においてプリント基板１の上方に表側のデザイン表示面２が盛り上がっている状態か横方向から見える。具体的にはデザイン表示面２はデザイン印刷したシートをプリント基板１に接着し、その上を透明な樹脂でシールした構造になっている。
　図２はバッジの表側であるデザイン表示面２の中に５個のＬＥＤ８が点在する状況を示す。これらのＬＥＤ８は一斉に点滅させることも、１個づつサイクリックに点滅することもＩＣ７の制御で自在に行うことができる。【０００９】　図１の下側はバッジの裏側であり、電池ホルダー３に接合されたピン４と、ピン４から取り外した状態のピンキャップ５が示されている。ピン４とピンキャップ５の間に着衣の襟やポケット等の布を挟み、ピンキャップ５をピン４に差し込むことによりこのバッジは着衣に固定される。また、ピン４とピンキャップ５の代わりに安全ピンを電池ホルダー３に接合し着衣に固定される。なお、電池ホルダー３の内部にボタン電池６が挿入されている。【００１０】図３はピンキャップを取り除いた状態でバッジを裏側から見ており、プリント基板１に電池ホルダー３とそれに接合されたピン４、ＩＣ７、スイッチ９などが取り付けられた様態を示す。
【図面の簡単な説明】
【００１１】
【図１】本考案になるバッジの側面図であリ、ピンからピンキャップを抜いた状態を示している。
【図２】本考案になるバッジを表側から見た正面図である。
【図３】本考案になるバッジを裏側から見た正面図であり、ピンキャップを装着していない状態を示している。
【符号の説明】
【００１２】１　　プリント基板
２　　デザイン表示面
３　　電池ホルダー
４　　ピン
５　　ピンキャップ
６　　ボタン電池
７　　ＩＣ
８　　ＬＥＤ
９　　スイッチ
【図１】
0003099779.tif 000003
【図２】
0003099779.tif 000004
【図３】
0003099779.tif 000005
(57)【要約】
【課題】本考案は、買物袋が袋の中に物を入れた時、袋の入口を結ばず、セロハンテープで貼り付けずに閉める袋を課題とした。
【解決手段】買物袋の取っ手２個のうち、１個を短く、１個を長くして、１個の短い取っ手の内側に通すことで解決手段とした。
【選択図】図１
0003099758.tif 000002
【実用新案登録請求の範囲】
【請求項１】
落さへん手提げ袋は、取っ手２個からなり、１個の取っ手が長く、１個の取っ手を短くすることを特徴とする落さへん手提げ袋。
【考案の詳細な説明】
【考案の詳細な説明】
【技術分野】
【０００１】本考案は買物を入れる袋に関する。
【背景技術】
【０００２】従来に袋の取っ手が左右２個は同じ長さの物が知られている。
【考案が解決しようとする課題】
【０００３】しかしながら、同じ取っ手の長さでは袋の中に物を入れて、入口部を締め付けるか、セロハンテープで貼り付けることで、取り外し時に欠点がある。
【課題を解決するための手段】
【０００４】本考案は袋の取っ手２個あり、１個の取っ手を短くすることと、その他の１個の取っ手を長くして、１個の取っ手の短い方の内側に通すことで、袋の入口部が締まることで、上記課題を解決するものである。
【考案を実施するための最良の形態】
【０００５】図１に示すように、買物入れ袋は取っ手が左右２個が設けられるが、本考案は取っ手２個のうち、１個の取っ手を短く設けて、１個の取っ手を長くして、短い取っ手の内側に通す。【０００６】上記工程により袋に物を入れることで、物の重さで袋の入口部が締め付けられ、物が袋から洩れないことと、雨降り時でも袋に雨、ゴミ等が入ることがない。素材は合成樹脂がよい。
【考案の効果】
【０００７】本考案は、袋を再使用時、結び、テープ貼り付けがなく、袋が傷まず、再使用に便利である。。
【図面の簡単な説明】
【図１】　本考案に係る落さへん手提げ袋の工程図である。
【符号の説明】
１　　　　袋
２　　　　長い取っ手
３　　　　短い取っ手
【図１】
0003099758.tif 000003
(57)【要約】　　　（修正有）【課題】連結部金具装置本体の連結部に転造式タップねじ部を設け、コンクリート型枠保持用金物の壁体に対する連結強度を最小限のねじ込み量で向上させる。【解決手段】連結部金具装置本体５の連結部６を転造式タップねじ形状とするとともに、連結部６をＨ形鋼支柱１に強制的にねじ込められるように、中央の工具装着部を設けることで、これをＨ形鋼支柱１にねじ込んだ際、規格のナットねじ部と同等のねじ山が形成され、連結部６のＨ形鋼支柱１に対する連結強度が向上し、規定ねじ込み量を従来装置の約半分程度に抑えることができ、これにコンクリート型枠保持金物が螺装固定できるように、基端ねじ部６ｄを設けた。【選択図】　　図２
0003099757.tif 000002
【実用新案登録請求の範囲】
【請求項１】
　土留め壁や連続地中壁等の壁体のＨ形鋼支柱に、連結部を介してコンクリート形枠保持用金物を取付け、その先端部にセパレータの一端側を螺入し、セパレータの他端側で型枠を保持するコンクリート型枠保持装置において、前記、連結部を転造式タップねじ形状に形成するとともに、コンクリート型枠保持用金物に対し着脱可能に構成し、Ｈ形鋼支柱に予め設けられている取付穴に強制的にねじ込めるように、連結部回転用の工具を軸方向から装着可能な工具装着部を設けたことを特徴とする連結部金具装置。
【考案の詳細な説明】
【技術分野】
【０００１】　本考案は、山留め壁や連続地中壁等の壁体に適用されるコンクリート型枠保持装置において、壁体へのコンクリート型枠保持用金物の連結強度を、最小限の作業で向上させることができる連結部金具装置に関するものである。
【背景技術】
【０００２】　従来、この種の装置としては図４に示すように、壁体側の例えばＨ形鋼支柱１に、取付穴の穴加工を施するとともに、タッピングねじ形状連結部装置９を電気工具等により強制的にねじ込んで、コンクリート型枠保持用金物７を壁体に取付け型枠１０を保持するものが採用されている。
【考案の開示】
【考案が解決しようとする課題】
【０００３】　前記従来の装置においては、装置および方法の知識があれば、安全に誰でも作業ができ、タッピングねじ形状連結部装置９が規定のねじ込み量を確保していれば、装置としての信頼性は高い。しかし、タッピングねじ形状連結部装置９は、切削方式によりＨ形鋼支柱１にねじ込まれるため、これによってできたＨ形鋼支柱１のねじ山は完全ではなく、このため、これの強度を一定に保つため、タッピングねじ形状連結部装置９のねじ込み量およびＨ形鋼支柱１に対する穴加工の規定値を深くしなければならないという問題点がある。
本考案の目的は、Ｈ形鋼支柱１の穴加工が極力浅くでき、連結部のねじ込み量の省力化が図れ、然も従来以上の連結強度が確保できるという性質を兼ね備えた連結部金具装置を提供することにある。
【課題を解決するための手段】
【０００４】　本考案は、前記した連結部金具装置本体の連結部に、転造式タップねじ形状を採用するとともに、コンクリート型枠保持用金物に対し着脱可能に構成するものであり、このことによりＨ形鋼支柱１に対する連結部の強度が向上し、かつ、規定のねじ込み量を従来の約半分程度に抑えることができ、更にこれを電動工具等で強制的にねじ込めるように、連結部金具装置本体中央の外周部に連結部回転用の工具を軸方向から着脱可能な工具装着部を設けることで上記問題を解決している。
【考案の効果】
【０００５】　上述のように、本考案は連結部金具装置本体の連結部が転造式タップねじ形状であることから、Ｈ形鋼支柱１にこれをねじ込んだ際、規格ナットと同等のねじ山が形成される。このことからＨ形鋼支柱１に対する連結部の強度は向上し、かつ、ねじ込み量を最小限に止めることができ、従って、装置としての信頼性は高く、然もＨ形鋼支柱１の穴加工が容易で作業能率が著しく向上するものである。
【考案を実施するための最良の形態】
【０００６】　本考案を図面を参照して説明する。図２および図３は、本考案の実施の形態に係る連結部金具装置を示すもので、図中の符号１は山留め板３とともに土留め壁を形成するＨ形鋼支柱であり、この支柱１は、山留め板３にそって例えば１．６メートル程度の間隔で配設されている。このＨ形鋼支柱１の取付け穴４に連結部金具装置５の連結部６が取付けられるとともに、もう一方の基端ねじ部６ｄにコンクリート型枠保持用金物７が取付けられる。尚、このコンクリート型枠保持用金物７の先端部には、セパレータ８の一端側が螺入されるようになっており、これにより型枠が保持される。一方、前記連結部金具装置５は、図１に示すように、取付け穴４へのねじ込みの際倒れを起こさないように、連結部６の先端部６ａが取付け穴４の内径にそって数ミリ程度先行挿入できるようにしてあり、その終了点６ｂより転造式タップねじ部が形成されている。このことにより、Ｈ形鋼支柱１の取付け穴４に対して直角に、かつ完全なるねじ山を形成させることができる。また、中央の工具装着部６ｃは、Ｈ形鋼支柱１にインパクトレンチ等で強制的にねじ込められるように、軸方向から着脱可能な六角形状とし、その基端ねじ部６ｄはコンクリート型枠保持用金物７の基端雌ねじ部が螺装固定されるようになっている。
【図面の簡単な説明】
【０００７】
【図１】本考案の連結部金具装置の要部を示す正面図である。
【図２】本考案の実施の形態に係る連結金具装置の要部およひ全体の構成図である。
【図３】本装置を取付け穴に取付けた状態を示す正面図である。
【図４】従来の連結部装置を示す全体構成図である。
【符号の説明】
【０００８】　１　　Ｈ形鋼支柱
　２　　土砂
　３　　山留め板
　４　　取付け穴
　５　　連結部金具装置本体
　６　　連結部
　６ａ　連結先端部
　６ｂ　連結先端終了部
　６ｃ　工具装着部
　６ｄ　基端ねじ部
　７　　コンクリート型枠保持用金物
　８　　セパレータ
　９　　タッピングねじ形状連結部装置
　１０　Ｐコン
　１１　型枠
【図１】
0003099757.tif 000003
【図２】
0003099757.tif 000004
【図３】
0003099757.tif 000005
【図４】
0003099757.tif 000006
(57)【要約】
【課題】　こころを開いて自らの手で運をつかみたいという願いをこめて、つくられたもので、簡単安価でアクセサリーとして、お守りとしても使用できる開運ペンダントを提供する。
【解決手段】　ペンダント主体(１)の表面に幸運を表わす言葉、絵等の表示部(５)を設けるとともに、裏蓋(３)を開けたときに露出する一方の内面に前記表示部(５)に対応する言葉(６)を、他方の裏蓋(３)の内面にはそれを表現する絵又は立体意匠(７)を設け。
【選択図】　図１
0003099753.tif 000002
【実用新案登録請求の範囲】
【請求項１】
ハート形、多角形等のペンダント主体(１)に、ヒンジ部(２)を支点に開閉自在に枢支された同形の裏蓋(３)を設け、このペンダント主体(１)と裏蓋(３)の間に凹窪状の密閉空間(４)を形成してなるペンダントにおいて、ペンダント主体(１)の表面に幸運を表わす言葉、絵等の表示部(５)を設けるとともに、裏蓋(３)を開けたときに露出する一方の内面に前記表示部(５)に対応する言葉(６)を、他方の裏蓋(３)の内面にはそれを表現する絵又は立体意匠(７)を設けた開運ペンダント。
【考案の詳細な説明】
【技術分野】
【０００１】
　本考案は、身に付けたり携帯すると幸運をもたらすという期待感のあるアクセサリー、身飾り用として利用される幸運ペンダントに関するものである。
【背景技術】
【０００２】
　人は誰れでも日常不安と希望が入り混じった複雑な気持になることがあり、不運なことが起こらないようにとか、又幸運に恵まれたいと思ったりするものである。こころを閉ざしたままでは、運も開かない。
【考案の開示】
【考案が解決しようとする課題】
【０００３】
　本考案の開運ペンダントは、こころを開いて自らの手で運をつかみたいという願いをこめて、つくられたもので、簡単安価でアクセサリーとして、お守りとしても使用できる開運ペンダントを提供することを目的としている。
【課題を解決するための手段】
【０００４】
　上記課題を解決するために、本考案に係る開運ペンダントは、ハート形、多角形等のペンダント主体(１)に、ヒンジ部(２)を支点に開閉自在に枢支された同形の裏蓋(３)を設け、このペンダント主体(１)と裏蓋(３)の間に凹窪状の密閉空間(４)を形成してなるペンダントにおいて、ペンダント主体(１)の表面に幸運を表わす言葉、絵等の表示部(５)を設けるとともに、裏蓋(３)を開けたときに露出する一方の内面に前記表示部(５)に対応する言葉(６)を、他方の裏蓋(３)の内面にはそれを表現する絵又は立体意匠(７)を設けたことを特徴とする。
【０００５】
　上記構成とすることにより、ペンダントを首に掛けて持ち歩き、又は携帯することで何時でも必要なときに身近に感じることができる。また、ペンダントの表面に表わされた表示部を常に意識しそのことに対しても裏蓋を明けることで一方の内面と他方の内面が同時に表われて、対応する言葉やそのことを案示する立体意匠等が現われて幸運への意識をより一層強く持つことができる。
【考案の効果】
【０００６】
　本考案は請求項１のように構成されているのでペンダントの使用中においては、ペンダント主体１の表面に「心ひらけば」の文字からなる表示部５があるため、常にこれを見て意識するものであり、そして次に裏蓋３を開けると、ペンダント主体１の裏側内面に「運もつかむ」等の言葉が現われ、さらに裏蓋３側の内面に立体意匠７が現われるため、常に心を開くことを意識することができ、これによって勇気づけられて自信がつき、明るく過ごすことができる。
【０００７】
　本考案の開運ペンダントは、これをそのままキーホルダーに付けたり、又はお守りとして使用し、或いは携帯ストラップに付けて持ち歩き、又はハンドバックに入れる等種々の使用方法がある。
【考案を実施するための最良の形態】
【０００８】
以下、本考案の一実施の形態を図面を参照して説明する。
【実施例１】
【０００９】
　図１乃至図３は、本考案の一実施例を説明するための図であり、図１（ａ）はハート形開運ペンダントの正面図、同（ｂ)はＡ−Ａ線の断面図で、図２は裏蓋を開けた状態の背面図である。また図３（ａ)は長方形開運ペンダントの正面図、同（ｂ)はＢ−Ｂ線の断面図で、同（ｂ）は開いた状態の正面図である。ハート形開運ペンダントは図１及び図２に示すように、正面からみてハート形をなすペンダント主体１とこのペンダント主体１と同形同大の裏蓋３とを、開閉自在に夫々の側方部においてヒンジ部２で枢着したものからなる。両体１、３の開閉側の内面にホック式の止具８が設けられ、上端部には吊環９が形成されている。ペンダント主体１と裏蓋３の相対向するそれぞれの内面に凹状部を形成して、裏蓋３を閉じたときに両体１、３間に密閉空間４が形成されるようにする。
【００１０】
　ペンダント主体１の表面には幸運を表わす言葉、絵等の表示部５を設ける。この表示部５には「心開けば」のように文字を表示する。また、図２（ｃ）に示すようにこのペンダント主体１の裏側となる内面には、表示部５に対応するように「運をつかむ」のような言葉６を表示する。さらに裏蓋３の内面には言葉６に表現する立体意匠７を取付ける。立体意匠７は遊び心を利かせた様々な態様があり、それらを表現した物にする。
【００１１】
　図３は開運ペンダントを多角形(長方形)に形成したもので、表側のペンダント主体１と裏蓋３をヒンジ部２で開閉可能に枢設し、裏蓋３を開けると、内面が露出して主体側の表示部６と裏蓋３の内面の立体意匠７が現われるものである。止具８及び吊環９を設けることは前記ハート形の場合と同様である。
【００１２】
　吊環９には吊ひも、ネックレス又はネックストラップを付けて首に掛けたりする。また適当な長さのストラップや止めピンを付けて手に持ったり吊下げたりし又は服等に取付けて使用する。
【００１３】
　ペンダント主体１の表示部５の「心開けば」に対する裏側内面の言葉６は、「運もつかむ」の他、例えば「願いも叶う」「未来が変わる」「目が開く」「鍵が見つかる」「運も開ける」等の文字を組合わせるようにする。裏蓋３の内面の立体意匠７としては夫々に対応するように機智に富んだ面白味のあるものを選定すればよい。
【産業上の利用可能性】
【００１４】
　身に付けたり携帯すると幸運をもたらすという期待感のある。ペンダイトとして開運の用途に適用され、アクセサリー、身飾り用としての用途にも適用できる。
【図面の簡単な説明】
【００１５】
【図１】本考案開運ペンダントを示し、（ａ）はハート形に形成した場合の正面図、（ｂ）は（ａ）におけるＡ−Ａ線の断面図である。(実施例１)（ｃ）は裏蓋を開けた状態の背面図である。
【図２】（ｃ）はハート形開運ペンダントの裏蓋を開けた状態の背面図である。
【図３】長方形の開運ペンダントを示し、（ａ)は正面図、（ｂ）は（ａ）におけるＢ−Ｂ線の断面図、（ｃ）は裏蓋を開けた状態の背面図である。
【符号の説明】
【００１６】
　１　　ペンダント主体
　２　　ヒンジ部
　３　　裏蓋
　４　　密閉空間
　５　　表示部
　６　　言葉
　７　　立体意匠
　８　　止具
　９　　吊環
【図１】
0003099753.tif 000003
【図２】
0003099753.tif 000004
【図３】
0003099753.tif 000005
(57)【要約】【課題】会員証、キャッシュカードなどの種々なカードを縦長又は横長で一覧形式で多数枚収容できるカードホルダ１５を製作するためのポケット連設体３を提供する。合成樹脂製台板４の片面又は両面にカードポケットを溶着形成しても側縁が厚くならずに製作できる。【解決手段】熱融性合成樹脂製台板４上にカードポケットを構成する所定枚数の袖付Ｔ字型単板５を上部から所定の間隔で且つ各Ｔ字型単板の各袖部６が重ならないように上下方向にずらして定置して各単板の下辺８を順次容着９し、その後、最下段の方形単板１０を定置し、前記各単板の袖部及び最下段方形単板の三辺１１を同時に台板４に溶着すると共に台板外周を溶断して形成する。【選択図】図２
0003099790.tif 000002
【実用新案登録請求の範囲】
【請求項１】
熱融性合成樹脂製台板上に、カードポケットを構成する所定枚数の袖付Ｔ字型単板が上部から所定の間隔で且つ前記各Ｔ字型単板の各袖部が重ならないように上下方向にずらして定置されて各単板の下辺が順次容着されると共に最下段に定置された方形単板の上辺を除く三辺と前記各単板の袖部が同時に台板外周に溶着されると共に溶断されてなる携帯カードホルダ用ポケット連設体。
【請求項２】
台板の表裏両面に、所定枚数の袖付Ｔ字型単板と最下段方形単板が溶着されてなる請求項１記載のポケット連設体。
【考案の詳細な説明】
【０００１】
【考案が属する技術分野】
この考案は、カードホルダを構成するポケット連設体に関する。
【０００２】
【従来の技術】
最近は、会員証、キャッシュカードなど携帯するカードの種類が多くなり、札入れや名刺入れの内部ポケットに収容しきれなくなっている。
【０００３】
合成樹脂フィルムによって多数のカード収容ポケットを単純に重ねて形成するとホルダ側縁の厚さが部分的に異なってしまい使用に耐えない。このためポケットを布製としこれを皮革製カバーに装着させているが、このようにしても５〜６個が限度である。
【０００４】
【考案が解決しようとする課題】
本案は、合成樹脂製台板の片面又は両面に多数のカードポケットを溶着形成しても厚くならない他、カードを一覧形式で収容できるカードホルダ用連設体を提供するものである。
【０００５】
【課題を解決するための手段】
本案カードホルダ用ポケット連接体は、熱融性合成樹脂製台板上にカードポケットを構成する所定枚数の袖付Ｔ字型単板を上部から所定の間隔で且つ各Ｔ字型単板の各袖部が重ならないように上下方向にずらして定置して各単板の下辺を順次容着し、その後、最下段の方形単板を定置し、各単板の袖部と最下段方形単板の三辺を同時に台板に溶着すると共に台板外周を溶断して形成する。
ポケットは、縦長でも横長でも可能であり、また台板の片面のみでなく、両面にも形成できる。台板と各単板は例えば、軟質塩化ビニル又はポリプロピレン製フィルムなど同一素材を使用する。更に、単板はカードの取出し挿入を容易にするため上辺の一部を斜めにカットしたり半円の切欠を設けることができる。
【０００６】
【考案の効果】
本案によれば、台板周縁の溶着部においては、台板と各袖部が融着一体化してほぼ同一の厚さに形成され、単純な重ね合せに比して極めて薄く形成できるので図２の如く他の合成樹脂板への更なる溶着は勿論、この周縁部を天然皮革などにミシン逢着することも容易になる。
【０００７】
【考案の実施の形態】
図１は、見開き形式のカードホルダであって、１は発泡塩ビなどの柔軟合成樹脂製カバー表紙、２はその裏面、３は周縁部を溶着されたポケット連設体であって左右対称に設けられている。
４は台板、５は全体としてＴ型のポケット単板、６は袖部、７は側部であり重なりを考慮して僅かに斜辺としてある。８は下縁、９は溶着部である。１０は最下段の袖なしポケット単板であり、全体として方形である。各ポケット単板の上辺は、カードの取り出しを容易にするための指掛け切欠１４が設けられる。
Ｔ型ポケット単板５は、台板に対してポケット段数Ｎ−１枚が用意され、各単板は、最初に上段単板５Ａの下辺が溶着９Ａされ、この上に次段の単板５Ｂが所定間隔（袖高さ）だけずらされて定置され、その下辺が溶着９Ｂされる。この作業を単板数だけ繰返し、最後に最下段の袖なしポケット単板１０を定置してから台板の周囲全体を加圧溶着すると、各単板の袖部と最下段袖なし単板の３辺が台板の周囲に溶着１１されて一体化し、ポケット連設体３が構成される。台板周辺の裁断は加圧溶着と同時に行われる。
【０００８】
上記のポケット連設体は、図２のように片側に厚板１２を連接１３して既存の手帳に装着したり、図１のように発泡塩ビ製シートその他の表装材内面に溶着又は縫着して見開き型のカードホルダ１５とする。
【図面の簡単な説明】
【図１】本案カードホルダの内面展開平面図
【図２】手帳装着型カードホルダの平面図
【図３】台板とポケット単板の溶着個所を示す平面図
【図４】同上他の平面図
【図５】ポケット連設体の模型的縦断側面図
【符号の説明】
１　　　カバー表紙
２　　　裏面
３　　　ポケット連設体
４　　　台板
５　　　Ｔ型ポケット単板
６　　　袖部
７　　　側部
８　　　下縁
９　　　溶着部
１０　　　袖なし単板
１１　　　周辺溶着部
１２　　　厚板
１３　　　連接部
１４　　　指掛け切欠
【図１】
0003099790.tif 000003
【図２】
0003099790.tif 000004
【図３】
0003099790.tif 000005
【図４】
0003099790.tif 000006
【図５】
0003099790.tif 000007
(57)【要約】　　　（修正有）【課題】　カイトの操縦性をよくする。【解決手段】　カイトのコントロールバー６を引くと、カイト本体８にバンクがかかると同時にカイトの翼後縁をねじり下げて空気抵抗を増やし、エアーブレーキがよく効くように、滑車１，２を利用してコントロールバーの引き代を１：１．５に増やした。【選択図】　図１
0003099783.tif 000002
【実用新案登録請求の範囲】
【請求項１】
　カイト本体８の翼後縁を変形させてエアーブレーキとするカイトにおいて、このエアーブレーキを作動させるためのエアーブレーク索９に滑車を取り付けて、この索を引っ張るコントロールバー６の引き代の長さより翼後縁の引かれ具合を多く引かれるようにし、かつカイト本体８にバンク角が同時にかかるようにして操縦性を良くしたことを特徴とするカイト。
【考案の詳細な説明】
【考案の詳細な説明】
【考案が解決しようとする課題】
【０００１】　在来のカイトはコントロールバー６、あるいは両手に各々持つハンドルでカイトのバンク角を作り出し操縦していた。　ゆえに、コントロールバー６の長さあるいは両手が作り出せる距離差がバンク角の限界となり、機敏で旋回半径の小さな操縦特性をもたらすためには、コントロールバーの長さを出来るだけ長くする必要があり、問題であった。
【課題を解決するための手段】
【０００２】　本考案はカイト本体の翼後縁を下向きに変形させて、エアーブレーキとしてパラグライダーのように操縦する機能を追加させたカイトにおいて、滑車１と滑車２をサイドＶ索１０に取り付け、カイト本体８にバンク角をつけさせると同時にエアーブレーク索９の引き代をコントロールバー６の引き代より多くなるようにしている。
【０００３】　滑車１はエアーブレーキとしてカスケードしながら翼後縁に取り付けられ、翼後縁を引き下げるためのエアーブレーク索９に固定されている。
【０００４】　滑車２はコントロールバーから伸びるコントロールライン５に固定されている。
【０００５】　カイト本体は翼本体を支える索群が左右にまとめられて連結点１１で左右別々にまとめられている。　また、左右の連結点１１はフロントＶ索３により中央索４にまとめられている。
【０００６】　この連結点１１にサイドＶ索１０の一方を固定し、そのサイドＶ索１０はまず、コントロールライン５に固定されている滑車２のすべり部をとおり、索９に固定されている滑車１のすべり部をとおって、コントロールライン５に固定されている。
【０００７】　コントロールバー６の左右どちらか一方を引き込むと、滑車２が引っ張られ、引かれた方の連結点１１が引かれカイト本体にバンク角がかかる。
【０００８】　また、同時に滑車２と滑車１の距離が短くなり、その短くなる距離は滑車がない場合より大きい。
【０００９】　ゆえに、バンク角とエアーブレーキが同時に効果的にかかる。
【考案の効果】
【０００１０】
【請求項１】
の本考案により、バンク角とエアーブレーキのダブル機能を実現し、機敏な操縦性を得ることが出来る。
【０００１１】　また、操縦性が機敏になったことにより、コントロールバー６を長くする必要がなくなり、あるいは更に短いコントロールバー長でも充分な操縦性を得ることが出来た。
【図面の簡単な説明】
【図１】本考案の側面から見た全体図。
【図２】本考案を正面から見た全体図。
【符号の説明】
１　　　　滑車
２　　　　滑車
３　　　　フロントＶ索
４　　　　中央索
５　　　　コントロールライン
６　　　　コントロールバー
７　　　　ハーネスフック用ループ
８　　　　カイト本体
９　　　　エアーブレーク索
１０　　　サイドＶ索
１１　　　連結点
【図１】
0003099783.tif 000003
【図２】
0003099783.tif 000004